(57)【特許請求の範囲】
【請求項１】
コンクリート構造物を構築する際に、コンクリートが打ち込まれる空間を形成する型枠材の外側にそれぞれ水平方向に延び上下方向に所定の間隔毎に固定された複数の水平固定棒材に配置され、かつ足場板を支持するコンクリート打設用足場板支持装置であって、
上側の前記水平固定棒材に係合する上側係合部が一端部に設けられ、かつ手摺り用支柱が装着される支柱支持部材が他端部に設けられた水平梁部材と、
前記水平梁部材に移動自在に取り付けられ、かつ任意の位置で前記水平梁部材に固定される移動部材と、
上端部が前記移動部材にピン結合され、かつ下側の前記水平固定棒材に係合する下側係合部が下端部に設けられた傾斜梁部材とを有し、
前記水平梁部材の上に足場板を配置して前記足場板の上において作業することにより前記コンクリート構造物を構築し得るようにしたことを特徴とするコンクリート打設用足場板支持装置。
【請求項２】
請求項１記載のコンクリート打設用足場板支持装置であって、前記上側係合部は上側の前記水平固定棒材に前記水平梁部材を締結して前記水平固定棒材から外れるのを防止するクランプ部材を有することを特徴とするコンクリート打設用足場板支持装置。
【発明の詳細な説明】
【０００１】
【発明の属する技術分野】
本発明は基礎構造物、橋脚、壁構造建物、地下壁、擁壁などのようにコンクリートを打ち込むことにより形成されるコンクリート構造物を構築する際に使用される足場板を支持するコンクリート足場板支持装置に関する。
【０００２】
【従来の技術】
地下鉄、地下室、地下道などの地下構造物は、内部に鉄筋や鉄骨が組み込まれたコンクリート製の壁構造物や基礎構造物を構築することにより形成されており、ホテルやマンションなどの高層建築物も同様にコンクリート製の壁構造物や基礎構造物を構築することにより建築されている。さらに、崖などの土止めのための擁壁や橋脚なども、コンクリートにより形成されている。
【０００３】
上述した種々のコンクリート構造物は、内部に鉄筋が配筋された鉄筋コンクリート構造のもの、鉄骨骨組のまわりに鉄筋が配筋されコンクリートで一体化した鉄骨鉄筋コンクリート構造のものなどがある。このような、コンクリート構造物を構築する際には、その構造物の内部に埋め込まれる鉄骨や鉄筋などを構築する鉄筋工事と、構造物の外表面を形成するための型枠を構築する型枠工事、および型枠内にコンクリートを打ち込むコンクリート工事などが施工される。
【０００４】
型枠工事を行う際には、型枠材を固定するために垂直支持棒が基盤に取り付けられ、その垂直支持棒の外側にはそれぞれ水平方向に延びる水平固定棒材が上下方向に所定の間隔毎に取り付けられることになる。コンクリート工事にあっては、型枠の上方からコンクリートが打ち込まれることになるので、その作業を行うために型枠材の外側に足場板を配置することが必要となる。その足場板を支持するために、足場ブラケットあるいは型枠ブラケットとも言われるコンクリート打設用足場板支持装置を型枠材の外側に取り付けるようにしている。
【０００５】
【発明が解決しようとする課題】
従来では、水平梁部材と垂直支柱部材とによりＬ字形状の足場ブラケットを形成し、水平梁部材の先端側と垂直支柱部材の下端側とを補強用の傾斜梁部材により連結するようにしている。そして、垂直支柱部材の上端部には型枠材の外側に設けられた上側の水平固定棒材に係合されるフックを設け、垂直支柱部材の下端部には下側の水平固定棒材に係合する受金具を設けており、その受金具をトグルピンにより上下方向に所定のピッチで固定し得るようにしている。
【０００６】
しかしながら、このような従来の構造では、型枠材の外側にそれぞれ水平方向に延びて配置される複数本の水平固定棒材の上下方向の間隔を高い精度としなければ、確実にフックと受金具のそれぞれが水平固定棒材に所望の荷重を伝達することができなくなる。そのため、コンクリート構造物を構築するための、型枠工事にあっては、水平固定棒材の上下方向の間隔つまりピッチを高い精度としなければならず、その工事の能率を向上させることが困難であった。
【０００７】
本発明の目的は、コンクリート構造物の構築を迅速かつ能率的に行い得るようにすることにある。
【０００８】
本発明の前記ならびにその他の目的と新規な特徴は、本明細書の記述および添付図面から明らかになるであろう。
【０００９】
【課題を解決するための手段】
本願において開示される発明のうち、代表的なものの概要を簡単に説明すれば、以下のとおりである。
【００１０】
すなわち、本発明のコンクリート打設用足場板支持装置は、コンクリート構造物を構築する際に、コンクリートが打ち込まれる空間を形成する型枠材の外側にそれぞれ水平方向に延び上下方向に所定の間隔毎に固定された複数の水平固定棒材に配置され、かつ足場板を支持するコンクリート打設用足場板支持装置であって、上側の前記水平固定棒材に係合する上側係合部が一端部に設けられ、かつ手摺り用支柱が装着される支柱支持部材が他端部に設けられた水平梁部材と、前記水平梁部材に移動自在に取り付けられ、かつ任意の位置で前記水平梁部材に固定される移動部材と、上端部が前記移動部材にピン結合され、かつ下側の前記水平固定棒材に係合する下側係合部が下端部に設けられた傾斜梁部材とを有し、前記水平梁部材の上に足場板を配置して前記足場板の上において作業することにより前記コンクリート構造物を構築し得るようにしたことを特徴とする。
【００１１】
また、本発明のコンクリート打設用足場板支持装置は、上側の前記水平固定棒材に前記水平梁部材を締結して前記水平固定棒材から外れるのを防止するクランプ部材を有することを特徴とする。
【００１２】
本発明にあっては、上側係合部が係合される水平固定棒材と、下側係合部が形成される他の水平固定棒材との上下方向の間隔にずれが存在していても、そのずれを吸収してそれぞれの係合部は確実にそれぞれの水平固定棒材に密着した状態となる。
【００１３】
【発明の実施の形態】
以下、本発明の実施の形態を図面に基づいて詳細に説明する。
【００１４】
図１は地下室を構築するための地下構造物の一例を示す図であり、この地下構造物は、地盤面１０を掘削することにより形成される凹所１１内に構築されており、凹所１１の垂直の地肌面に沿って構築される構内側壁部１２、スラブ床部１３、および基礎部ないし仕切り壁部１４などを有している。
【００１５】
図２は図１に示された仕切り壁部１４の何れかを構築するための型枠工事を行っている状態を示す図であり、コンクリート構造物であり仕切り壁部１４の内部に埋め込まれる鉄筋２０が配筋された状態が示されている。図示する鉄筋２０は、上下方向に延びる垂直鉄筋２０ａと、水平方向に延びる水平鉄筋２０ｂとを有している。
【００１６】
コンクリート構造物としての仕切り壁部の両側面に対応し、コンクリートが打ち込まれる空間を区画形成するための堰板つまり型枠材２１が配置されており、型枠材２１はこれの外側に位置する複数本の垂直固定棒材２２により支持されている。垂直固定棒材２２の外側には、それぞれ水平方向に延び、上下方向に所定の間隔となった複数の水平固定棒材２３が取り付けられている。水平固定棒材２３は２本を一対として、図２に示すように、型枠材２１の高さ寸法に応じて複数対が取り付けられており、それぞれの対の水平固定棒材２３は、左右の型枠材２１の外側において上下方向の位置が相互に対応するようになっている。図示する場合には、垂直固定棒材２２および水平固定棒材２３は、それぞれ中空の丸パイプにより形成されている。ただし、それぞれの棒材２２，２３を断面四角形の中空の角パイプによって形成するようにしても良い。
【００１７】
図２において左右両側の型枠材２１相互の間隔を一定に保持するために、型枠材２１の外側に上下位置が対応する一対の水平固定棒材２３の間を貫通させてタイボルト２４が設けられており、それぞれのタイボルト２４の両端部にはリブ座金２５が装着され、それぞれのリブ座金２５はタイボルト２４のねじ部にねじ結合するナット２６により締結されている。
【００１８】
図２に示すように型枠材２１を固定することにより、内部にコンクリートが打ち込まれる空間１４ａを区画形成するための型枠が形成されることになる。左右それぞれの型枠材２１の外側には、図３に示すように、作業者がコンクリートの打ち込みつまり打設作業を行うための足場板２７が取り付けられる。
【００１９】
図４は足場板２７を支持するための本発明の一実施の形態であるコンクリート打設用足場板支持装置３０を示す図であり、図５は図２に示された型枠の左右両側に図４の足場板支持装置３０が取り付けられた状態を示す。なお、この足場板支持装置３０は、型枠ブラケットあるいは足場ブラケットとも言われており、図３にあっては、左右両側の型枠材２１のそれぞれに足場板支持装置３０が取り付けられているが、左側の型枠材２１の外側にのみ足場板２７が取り付けられ、右側の型枠材２１には、足場板２７がまだ取り付けられていない状態が示されている。
【００２０】
この足場板支持装置３０は、横断面形状が正四角形となった中空金属製の角パイプにより形成された水平梁部材３１を有し、その一端部には水平固定棒材２３に係合する上側係合部３２が設けられ、その他端部には手摺り用支柱２８が装着されるサヤ管３３が支柱支持部材として設けられている。このサヤ管３３は断面形状が円形となった金属製の丸パイプにより形成されている。ただし、このサヤ管３３を断面形状が四角形となった金属製の角パイプにより形成するようにしても良い。また、支柱支持部材としては、サヤ管３３に代えてクランプ部材を用いるようにしても良い。
【００２１】
水平梁部材３１の外側には横断面形状が正四角形となった移動部材３４が水平梁部材３１に沿ってその長手方向に移動自在に取り付けられている。この移動部材３４にはねじ部材３５が設けられ、ねじ部材３５を緩めると移動部材３４を移動させることができ、締め付けると移動部材３４をその位置で固定することができる。
【００２２】
移動部材３４には連結金具３６が取り付けられており、移動部材３４には連結金具３６の部分で傾斜梁部材３７の上端部がピン３８によりこれを中心に揺動自在にピン結合されている。この傾斜梁部材３７は水平梁部材３１と同様に中空金属製の角パイプにより形成されている。この傾斜梁部材３７の下端部には、前記上側係合部３２が係合する水平固定棒材２３よりも下側に位置する他の水平固定棒材２３に係合する下側係合部３９が設けられている。この下側係合部３９は、金属製の板材をＵ字形状に折り曲げることにより形成されている。なお、水平梁部材３１および傾斜梁部材３７を断面円形の中空丸パイプにより形成するようにしても良い。
【００２３】
このような構造の足場板支持装置３０は、図３に示すように、同一高さの水平固定棒材２３に、足場板２７の長さに対応させて所定の間隔毎に取り付けられ、左右それぞれの型枠材２１の外側に複数個配置されることになる。それぞれの足場板支持装置３０を上側と下側のそれぞれの水平固定棒材２３に係合させる際には、それぞれの水平固定棒材２３相互間の距離に誤差ないしずれが発生していても、図６に示すように、移動部材３４の位置を実線で示す位置や二点鎖線で示す位置などのように任意の位置に設定することによって、水平梁部材３１を所定の水平度とすることができる。しかも、それぞれの係合部３２，３９は、水平固定棒材２３に対して隙間なく確実に接触することになるので、足場板支持装置３０の荷重は２本の水平固定棒材に対して分散して伝達される。
【００２４】
上側係合部３２は図４に示されるように水平梁部材３１の両側面に固定される２つのクランプ部材３２ａ，３２ｂによって形成されている。
【００２５】
図７は上側係合部３２を形成する一方のクランプ部材３２ａの一部を拡大して示す図であり、クランプ部材３２ａは水平固定棒材２３が入り込む凹部４１を有し、クランプ部材３２ａには、凹部４１内に入り込んだ水平固定棒材２３から上側係合部３２が外れないようにするためのクランプ片４２が移動自在に取り付けられている。このように、上側係合部３２にクランプ機能を持たせることによって、足場板支持装置３０が振動などによって不用意に水平固定部材２３から外れることを確実に防止することができる。
【００２６】
クランプ部材３２ａには２つの支持ピン４３，４４が固定されており、クランプ片４２にはそれぞれの支持ピン４３，４４が係合するカム溝４５，４６が形成されている。クランプ片４２を図７において実線で示すクランプ位置に設定すると、クランプ片４２が凹部４１に出入口４１ａを水平固定棒材２３の外径よりも狭くして上側係合部３２が水平固定棒材２３から外れることが防止される。一方、クランプ片４２を二点鎖線で示す位置に設定すると、出入口４１ａの幅が広くなって、上側係合部３２を水平固定棒材２３から外すことができる。それぞれの支持ピン４３，４４はそれぞれのカム溝４５，４６の幅よりも大きい頭部を有し、クランプ片４２がクランプ部材３２ａから外れないようになっている。なお、他のクランプ部材３２ｂも同様の構造となっている。また、下側係合部３９としては、上側係合部３２と同様の構造としても良い。
【００２７】
次に、上述した足場板支持装置を用いて型枠材２１の外側に足場板２７を取り付ける手順について説明する。
【００２８】
コンクリート構造物の鉄筋工事が終了した状態のもとで、コンクリート構造物を構築するために、コンクリートが打ち込まれる空間を形成する型枠材２１を取り付ける。図２に示すように、コンクリート構造物が図１に示される仕切り壁や基礎部１４の場合には、その両面に対応させて型枠材２１が取り付けられることになる。型枠材２１は所定の高さと幅を有しており、複数枚が直線状などの所定の姿勢で配置され、それぞれの型枠材２１が複数本の垂直固定棒材２２と複数本の水平固定棒材２３によって固定される。相互に対向する型枠材２１は複数本のタイボルト２４によって所定の間隔に保持される。
【００２９】
垂直固定棒材２２相互の間隔つまりピッチ、水平固定棒材２３相互の間隔およびタイボルト２４の間隔は、コンクリート構造物の厚みなどの条件によって設定される。このようにして、型枠材２１が据え付けられた後に、図３に示すように、所定の高さの水平固定棒材２３に図４に示す足場板支持装置３０が相互に所定の間隔を置いて複数個取り付けられる。
【００３０】
その取り付けに際しては、ねじ部材３５を緩めて移動部材３４が水平梁部材３１に沿って移動し得る状態として、上側係合部３２を所定の水平固定棒材２３に、そして、その水平固定棒材２３よりも下側に位置する水平固定棒材２３に下側係合部３９をそれぞれ係合させる。上側係合部３２を上側の水平固定棒材２３に係合する際には、図７に示すように、クランプ片４２を二点鎖線に示す位置にずらしておき、係合終了後に実線で示す位置にずらして上側係合部３２が水平固定棒材２３から外れないようにしておく。
【００３１】
図６において、符号２３ａは上側係合部３２が係合される上側の水平固定棒材を示し、符号２３ｂは下側係合部３９が係合される下側の水平固定棒材を示しており、これらの上下方向の間隔が符号Ｌで示されている。この間隔Ｌが一定となるように、それぞれの水平固定棒材２３の取り付けがなされるが、この間隔Ｌを高い精度で取り付けることはその作業性を低下させることになり、作業性を考慮すると、ある程度の誤差を持たせることになる。
【００３２】
したがって、水平固定棒材２３の取付作業性を考慮すると、間隔Ｌに誤差が発生することが不可避となるが、本発明の足場板支持装置にあっては、上側の水平固定棒材２３ａと下側の水平固定棒材２３ｂとの間の間隔Ｌに誤差があっても、移動部材３４を水平梁部材３１に沿って移動させることにより上側係合部３２と下側係合部３９との間の垂直方向の間隔を無段階に調整することができる。これにより、上側係合部３２と下側係合部３９を係合させた状態で、水平梁部材３１が所定の水平度となるように、上側係合部３２を中心に揺動させると、移動部材３４が水平梁部材３１に沿って移動することになり、上下両方の水平固定棒材間の距離に誤差が存在していても、容易に水平梁部材３１を所定の水平度とすることができる。所定の水平度となったら、ねじ部材３５を締め付けることにより、移動部材３４は水平梁部材３１に締結固定される。
【００３３】
このような手順によって、所定の数の足場板支持装置３０を図３に示すように、型枠材２１の外側に取り付けた後に、その上に足場板２７を配置し、さらに、サヤ管３３に手摺り用支柱２８を取り付ける。手摺り用支柱２８はねじ部材３３ａを締結することによりサヤ管３３に固定され、この手摺り用支柱２８には図３に示すように、手摺り２９が取り付けられて作業者の安全が確保される。
【００３４】
このようにして足場板２７が配置された状態を示すと、図５の通りであり、作業者が足場板２７の上に乗って、型枠材２１によって区画形成された空間１４ａ内にコンクリートの打ち込みつまり打設作業が行われる。
【００３５】
このコンクリートの打ち込み作業が終了した後には、図５に示すそれぞれの型枠材２１の上に、図示しない他の型枠材が積み上げられるとともに、複数の水平固定棒材が型枠材の外側に取り付けられ、さらに、所定の高さの位置に足場板支持装置が取り付けられて、同様なコンクリートの打ち込みが行われる。このようにして、所定の高さのコンクリート構造物が構築される。
【００３６】
図８は本発明の他の実施の形態である足場板支持装置３０を示す図であり、この図においては図４に示す足場板支持装置３０を構成する部材と共通する部材には同一の符号が付されている。
【００３７】
図８の足場板支持装置３０にあっては、上側係合部３２の構造が前述したものと相違しているが、他の構造は同様となっている。この場合の上側係合部３２は、金属製の板材を断面Ｕ字形状に折り曲げた係合片４７を有し、この係合片４７内に入り込んだ水平固定棒材２３から係合片４７が外れるのを防止するために、クランプピン４８が係合片４７に着脱自在に嵌合されるようになっている。このクランプピン４８はチェーンやワイヤ４９によって水平梁部材３１に結び付けられている。
【００３８】
図９は上側係合部３２の他の具体例を示す図であり、この上側係合部３２は水平梁部材３１の一端部に固定される第１係合アーム５１と、これに対してピン５３により開閉自在に連結された第２係合アーム５２とを有し、第１係合アーム５１の先端部にはピン５４を中心に揺動自在にクランプボルト５５が設けられている。第２係合アーム５２の先端部にはクランプボルト５５が入り込む溝５６が形成されており、両方のアーム５１，５２の中に水平固定棒材２３を入り込ませた状態で溝５６の中にクランプボルト５５を入り込ませてナット５７を締め付けることにより、上側係合部３２を水平固定棒材２３にクランプすることができる。第１係合アーム５１の水平梁部材３１に対する取り付けは、第１係合アーム５１が第２係合アーム５２に対して図示するように下側となるようにしても良く、逆に第１係合アーム５１が上側となるようにしても良い。
【００３９】
図８およひ図９に示すタイプの上側係合部３２を有する足場板支持装置にあっても、前述した場合と同様の手順によって足場板の取り付けが行われる。なお、図８に示した構造の上側係合部３２を図４に示す下側係合部３９として用いることも可能であり、図９に示すタイプの上側係合部を下側係合部として用いたり、支柱支持部材として用いるようにしも良い。
【００４０】
図１０は比較例として従来の足場板支持装置を示す図であり、この足場板支持装置は、水平梁部材６１と垂直支柱部材６２とによりＬ字形状に形成された足場ブラケット６３を有し、水平梁部材６１の先端側と垂直支柱部材６２の下端側とが補強用の傾斜梁部材６４により連結されている。垂直支柱部材６２の上端部には型枠材の外側に設けられた上側の水平固定棒材に係合されるフック６５が設けられ、垂直支柱部材６２の下端部には下側の水平固定棒材に係合する受金具６６が設けられており、その受金具６６を垂直支柱部材６２に沿って上下動させて所定のピッチ毎にトグルピン６７により固定し得るようにしている。
【００４１】
図１０に示すような構造では、フック６５と受金具６６との間の上下方向の間隔を所定のピッチ毎にしか変化させることができないので、水平固定棒材の上下方向の間隔を高い精度としなければならず、この間隔に誤差が存在する場合には、受金具６６と水平固定棒材との間に隙間が発生することになる。したがって、足場板支持装置の荷重の大部分を上側の水平固定棒材が受けることになる。しかも、受金具６６の上下方向の位置を所定のピッチで変化させるためには、トグルピン６７を抜き差ししなければならず、その作業性が良くない。
【００４２】
これに対して、本発明の足場板支持装置３０にあっては、ねじ部材３５を緩めて水平梁部材３１を上側係合部３２を中心に揺動させることによって、上下両側の水平固定棒材相互間の誤差を吸収することができるので、足場板２７からそれぞれの足場板支持装置３０に加えられる荷重を上側係合部３２と下側係合部３９を介してそれぞれの水平固定棒材２３に確実に分散して伝達することができる。したがって、水平固定棒材の変形を防止することができるとともに、その径が小さい部材を使用することができる。さらに、型枠工事にあっては、水平固定棒材の上下方向の間隔つまりピッチを高い精度とすることが不要となることから、その工事の作業能率を向上させることが可能となる。
【００４３】
図２に示す型枠工事は、図１に示す地下構造物のうち仕切り壁部１４を構築する場合を示しているが、これは型枠工事の一例であって、図１に示す構内側壁部１２を構築する際にも、本発明の足場板支持装置３０を使用することができる。その場合には、構内側壁部１２の外側は地肌面に対向することになるので、足場板は構内側壁部１２の外側には配置されることなく、構内側壁部１２の内側面に対応して取り付けられる型枠材２１の外側に足場板２７を配置するために、足場板支持装置３０が取り付けられることになる。また、その場合には、図２に示すタイボルト２４とは相違し、地肌面側に配置される型枠材に基端部が固定され、先端部のみにねじ部を有するタイプのタイボルトが使用される。
【００４４】
以上、本発明者によってなされた発明を実施の形態に基づき具体的に説明したが、本発明は前記の形態に限定されるものではなく、その要旨を逸脱しない範囲で種々変更可能であることはいうまでもない。
【００４５】
たとえば、図１は地下構築物を示すが、それ以外に地上に建設されるマンションなどの中層建築物や高層建築物などを建築する際における壁体などのように、型枠材を使用して、所定の空間を形成しその中にコンクリートを打ち込むことにより形成されるコンクリート構造物であれば、橋脚や擁壁など種々の構造物を構築する際に本発明の足場板支持装置を使用することができる。また、図示する場合には、上側係合部３２にクランプの機能を持たせているが、下側係合部３９にのみ、あるいは両方の係合部３２，３９にクランプの機能を持たせるようにしても良い。
【００４６】
【発明の効果】
本願において開示される発明のうち、代表的なものによって得られる効果を簡単に説明すれば、以下のとおりである。
【００４７】
(1).型枠材の外側に取り付けられた水平固定棒材相互の上下方向の間隔に誤差が存在しても、その誤差を容易に吸収して上側係合部と下側係合部とを確実に水平固定棒材に密着させることができる。
【００４８】
(2).水平固定棒材相互の上下方向の間隔の誤差を大きくすることができるので、その取り付けを高い精度とすることなく、迅速に行うことができ、コンクリート構造物の構築を迅速かつ能率的に行うことができる。
【図面の簡単な説明】
【図１】コンクリート構造物の一例としての地下構造物を示す断面図である。
【図２】コンクリート構造物を構築するために型枠材を取り付けた状態を示す断面図である。
【図３】図２に示した型枠材の外側に本発明の足場板支持装置を取り付けた状態を示す斜視図である。
【図４】（Ａ）は本発明の一実施の形態である足場板支持装置を示す斜視図であり、（Ｂ）は同図（Ａ）における４Ｂ−４Ｂ線に沿う断面図である。
【図５】足場板支持装置を型枠材の外側に取り付けた状態を示す断面図である。
【図６】図４の正面図である。
【図７】図４に示された上側係合部のクランプ部材を示す拡大正面図である。
【図８】本発明の他の実施の形態である足場板支持装置を示す斜視図である。
【図９】上側係合部の他の具体例を示す斜視図である。
【図１０】従来の足場板支持装置を示す正面図である。
【符号の説明】
１０  地盤面
１２  構内側壁部
１４  仕切り壁部
１４ａ  空間
２０  鉄筋
２１  型枠材
２２  垂直固定棒材
２３  水平固定棒材
２４  タイボルト
２５  リブ座金
２７  足場板
２８  手摺り用支柱
２９  手摺り
３１  水平梁部材
３２  上側係合部
３２ａ  クランプ部材
３３  サヤ管
３４  移動部材
３５  ねじ部材
３７  傾斜梁部材
３８  ピン
３９  下側係合部
４２  クランプ片
４３  支持ピン
【図１】
0003890118.tif 000002
【図２】
0003890118.tif 000003
【図３】
0003890118.tif 000004
【図４】
0003890118.tif 000005
【図５】
0003890118.tif 000006
【図６】
0003890118.tif 000007
【図７】
0003890118.tif 000008
【図８】
0003890118.tif 000009
【図９】
0003890118.tif 000010
【図１０】
0003890118.tif 000011